(57)【要約】【課題】植物の取り木部分において、発根を促進する適度な湿り気を常に維持し、植物の発根に最も適した環境を自動的に造り上げることで、緑化用苗木の品質の均等化と再現性の向上化を実現し、当該苗木の迅速で安定した大量調達を可能にした空中取り木手法における発根促進システム・発根促進方法と、それらに使用される発根促進用具を提供する。【解決手段】本発明に係る空中取り木手法における発根促進システムは、植物の取り木部分に発根促進用具が装着され、上方側に設置された水タンクから滴下装置を介して導入された導管を発根促進用具に連結し、温度・湿度を感知するためのセンサーを発根促進用具に挿入すると共に、該センサーからの感知情報はＣＰＵユニットに送られ、発根促進用具における環境変化をタイムリーに監視すると同時に、その感知情報に基づいて必要な時期に滴下装置により発根促進用具に水分を供給するものである。【選択図】図２
2008271858.tif 000002
【特許請求の範囲】
【請求項１】
植物の取り木部分に発根促進用具が装着され、上方側に設置された水タンクから滴下装置を介して導入された導管を発根促進用具に連結し、温度・湿度を感知するためのセンサーを発根促進用具に挿入すると共に、該センサーからの感知情報はＣＰＵユニットに送られ、発根促進用具における環境変化をタイムリーに監視すると同時に、その感知情報に基づいて必要な時期に滴下装置により発根促進用具に水分を供給することを特徴とした空中取り木手法における発根促進システム。
【請求項２】
センサーからの感知情報と、滴下装置による水分の供給情報は、ＣＰＵユニットを介してパソコンに接続されている受信装置に送信され、パソコンに記録して管理される請求項１に記載の空中取り木手法における発根促進システム。
【請求項３】
植物の取り木部分に発根促進用具を装着する工程と、水タンクから滴下装置を介して導入されている導管を発根促進用具に連結する工程と、温度・湿度を感知するためのセンサーを発根促進用具に挿入する工程と、センサーからの感知情報をＣＰＵユニットに送り、発根促進用具における環境変化をタイムリーに監視すると同時に、その感知情報に基づいて必要な時期に滴下装置により発根促進用具に水分を供給する工程と、から成ることを特徴とした空中取り木手法における発根促進方法。
【請求項４】
センサーからの感知情報と、滴下装置による水分の供給情報を、ＣＰＵユニットを介してパソコンに接続されている受信装置に送り、パソコンに記録して管理する工程を含む請求項３に記載の空中取り木手法における発根促進方法。
【請求項５】
発根促進用具は、耐候性機能を有する被覆材と、該被覆材の内側面に付設された保水材を備え、植物の取り木部分を覆うようにして装着するもので、被覆材の両端開口側を閉塞する封止部材を設けている請求項１または３に記載の空中取り木手法における発根促進システム・発根促進方法に使用される発根促進用具。
【請求項６】
発根促進用具は、耐候性機能を有する被覆材と、該被覆材の内側面に付設された保水材を備え、植物の取り木部分を覆うようにして装着するもので、被覆材の一端縁部の裏側とこれに対応する他端縁部の表側に、接合・分離可能な接着部を設けると共に、被覆材の両端開口側を窄めた状態で閉塞し、この被覆材の両端開口側に複数の通し孔を設け、紐材を通し孔に通して締結した請求項１または３に記載の空中取り木手法における発根促進システム・発根促進方法に使用される発根促進用具。
【発明の詳細な説明】
【技術分野】
【０００１】
本発明は、造園業において、園芸品種や観葉植物へ栄養体を効率よく供給して繁殖させる手法として多く用いられている、空中取り木手法における発根促進システム・発根促進方法と、それらに使用される発根促進用具に関するものである。
【背景技術】
【０００２】
近年においては、生物多様性国家戦略に基づいて、特定外来生物法や種の保存法等の自然関係法令等により、地域国有種や遺伝因子の問題が社会的にも取りだたされている。
【０００３】
また、電力設備の緑化に際しても、計画地周辺の種子を使用するように行政からの指導を受ける事例が数多くある。
【０００４】
このような社会的背景の中で、緑化工事に用いる苗木の調達については、遺伝子レベルでの要求がより一層強まる可能性が高い。
【０００５】
そして、遺伝子因子レベルの保全に適合した緑化は、挿し木、取り木、組織培養等の苗木生産技術が考えられ、地域に自生している植物から種苗を生産して植栽するシステムがある。
【０００６】
この技術に関しては、一部の林業、園芸品種において技術開発されているだけであり、自然樹種を対象にした事例は少ない。
【０００７】
また、計画的な種苗生産には種子の安定入手が必要不可欠であるが、種子の結実は、豊凶の間隔、豊凶年の結実量較差等により、計画的な種苗生産が困難な樹種が多く見られる。
【０００８】
従来においては、これまで当間高原リゾート等において、自然樹種を対象にして、汎用機器や保湿材への新規開発素材の導入により空中取り木技術の研究が行われており、これにより作業効率の向上を図ると共に、発根の確認が行われている。
【０００９】
具体的には、図５（ａ）に示すように、対象となる植物である樹種の枝Ｑに根を出させるために、例えば、枝Ｑの取り木部分にＣ型に成形した針金１００（結束器具Ｃリンガー）を巻き締めて固定する方法がある。
【００１０】
また、図５（ｂ）に示すように、枝Ｑの取り木部分にＣ型に成形した針金１００（結束器具Ｃリンガー）を巻き締めて固定し、その周囲を十分に湿らせた不図示の水コケやスポンジ等で覆って巻きビニール１０１等で包み込んでから、ズレ止め用の針金１０２で固定する方法がある。
【００１１】
あるいは、図５（ｃ）に示すように、枝Ｑの取り木部分にＣ型に成形した針金１００（結束器具Ｃリンガー）を巻き締めて固定し、その周囲を十分に湿らせた水コケで覆ってその上をアルミホイル等の遮光性を有する被覆材１０３で被覆し、両側を枝Ｑに捩って止めることにより遮光して保護する方法もある。
【００１２】
この状態で、１ヶ月〜３ヶ月後経過すると、Ｃ型に成形した針金１００（結束器具Ｃリンガー）を固定している取り木部分の近傍から発根する。
【００１３】
そして、枝Ｑに固定している針金１００（結束器具Ｃリンガー）の上部や下部にも発根する場合があり、植え付けの際には、針金１００の下方に位置している枝Ｑの適当な部分を切断し、Ｃ型に成形した針金１００（結束器具Ｃリンガー）を切断した枝Ｑに固定したまま土に植えるのである。尚、その間においては、水分の補給が必要となる。
【特許文献１】特になし
【発明の開示】
【発明が解決しようとする課題】
【００１４】
しかしながら、図５に示す従来の手法においては、例えば、取り木部分における巻きビニール１０１の仕掛けやアルミホイル等の被覆材１０３の仕掛けに多くの時間が費やされ、また、これらの仕掛け作業が非常に面倒なものであった。
【００１５】
さらに、巻きビニール１０１を枝Ｑに取り付ける際に、その結束がしっかりできていなかった等の原因により、水コケが巻きビニール１０１に密着せず、乾燥を招いて、枝Ｑの発根に悪影響を与えていた。
【００１６】
しかも、取り木に使用するアルミホイルやスポンジ等の材料は使い捨てであるため、その都度、廃棄物が発生していた。
【００１７】
そして、取り木の際に重要となるのが水分であり、取り木部分における枝Ｑを十分に湿らせた水コケで覆って巻きビニール１０１等で被覆する仕掛けを実施してから２ヶ月程度放置すると、雨不足等の際には、枝Ｑの発根率を低下させる原因となっていた。
【００１８】
また、遺伝子因子レベルで緑化を実施する場合、対象樹種は市場で販売されていないため、取り木を実施する場所としては、対象の樹種が生育している箇所が少ないことや、対象樹種があったとしても取り木できる箇所が高所で手が届かない等のアクセスが困難な場所が多いことも想定される等の諸々の問題点を有していた。
【００１９】
そこで、本発明は如上のような従来存した諸事情に鑑み創出されたもので、植物の取り木部分において、発根を促進する適度な湿り気を常に維持し、植物の発根に最も適した環境を自動的に造り上げることで、緑化用苗木の品質の均等化と再現性の向上化を実現し、当該苗木の迅速で安定した大量調達を可能にした空中取り木手法における発根促進システム・発根促進方法と、それらに使用される発根促進用具を提供することを目的とする。
【課題を解決するための手段】
【００２０】
本発明に係る空中取り木手法における発根促進システムは、植物の取り木部分に発根促進用具が装着され、上方側に設置された水タンクから滴下装置を介して導入された導管を発根促進用具に連結し、温度・湿度を感知するためのセンサーを発根促進用具に挿入すると共に、該センサーからの感知情報はＣＰＵユニットに送られ、発根促進用具における環境変化をタイムリーに監視すると同時に、その感知情報に基づいて必要な時期に滴下装置により発根促進用具に水分を供給することで、上述した課題を解決した。
【００２１】
また、センサーからの感知情報と、滴下装置による水分の供給情報は、ＣＰＵユニットを介してパソコンに接続されている受信装置に送信され、パソコンに記録して管理されることで、同じく上述した課題を解決した。
【００２２】
さらに、本発明に係る空中取り木手法における発根促進方法は、植物の取り木部分に発根促進用具を装着する工程と、水タンクから滴下装置を介して導入されている導管を発根促進用具に連結する工程と、温度・湿度を感知するためのセンサーを発根促進用具に挿入する工程と、センサーからの感知情報をＣＰＵユニットに送り、発根促進用具における環境変化をタイムリーに監視すると同時に、その感知情報に基づいて必要な時期に滴下装置により発根促進用具に水分を供給する工程と、から成ることで、同じく上述した課題を解決した。
【００２３】
また、センサーからの感知情報と、滴下装置による水分の供給情報を、ＣＰＵユニットを介してパソコンに接続されている受信装置に送り、パソコンに記録して管理する工程を含むことで、同じく上述した課題を解決した。
【００２４】
この他、本発明に係る空中取り木手法における発根促進システム・発根促進方法に使用される発根促進用具は、耐候性機能を有する被覆材と、該被覆材の内側面に付設された保水材を備え、植物の取り木部分を覆うようにして装着するもので、被覆材の両端開口側を閉塞する封止部材を設けていることで、同じく上述した課題を解決した。
【００２５】
また、発根促進用具は、耐候性機能を有する被覆材と、該被覆材の内側面に付設された保水材を備え、植物の取り木部分を覆うようにして装着するもので、被覆材の一端縁部の裏側とこれに対応する他端縁部の表側に、接合・分離可能な接着部を設けると共に、被覆材の両端開口側を窄めた状態で閉塞し、この被覆材の両端開口側に複数の通し孔を設け、紐材を通し孔に通して締結したことで、同じく上述した課題を解決した。
【発明の効果】
【００２６】
本発明に係る空中取り木手法における発根促進システムは、植物の取り木部分に発根促進用具が装着され、上方側に設置された水タンクから滴下装置を介して導入された導管を発根促進用具に連結し、温度・湿度を感知するためのセンサーを発根促進用具に挿入すると共に、該センサーからの感知情報はＣＰＵユニットに送られ、発根促進用具における環境変化をタイムリーに監視すると同時に、その感知情報に基づいて必要な時期に滴下装置により発根促進用具に水分を供給することから、植物の取り木部分における発根を促進する適度な湿り気を常に維持し、植物の発根に最も適した環境を自動的に造り上げることができる。
【００２７】
その結果、緑化用苗木の品質の均等化と再現性の向上化を実現し、当該苗木の迅速で安定した大量調達を可能にしている。
【００２８】
また、センサーからの感知情報と、滴下装置による水分の供給情報は、ＣＰＵユニットを介してパソコンに接続されている受信装置に送信され、パソコンに記録して管理されることで、植物の取り木部分に装着している発根促進用具における環境の変化を記録し、その環境データに基づいて、樹種別の最適仕掛け時期を解明することができる。
【００２９】
また、本発明に係る空中取り木手法における発根促進方法は、植物の取り木部分に発根促進用具を装着する工程と、水タンクから滴下装置を介して導入されている導管を発根促進用具に連結する工程と、温度・湿度を感知するためのセンサーを発根促進用具に挿入する工程と、センサーからの感知情報をＣＰＵユニットに送り、発根促進用具における環境変化をタイムリーに監視すると同時に、その感知情報に基づいて必要な時期に滴下装置により発根促進用具に水分を供給する工程と、から成ることから、植物の取り木部分における発根を促進する適度な湿り気を常に維持し、植物の発根に最も適した環境を自動的に造り上げることができる。
【００３０】
そして、発根する確率が低い樹種において、滴下装置を用いた取り木手法を実施し、滴下装置有りの状態と滴下装置無しの状態を比較した結果、滴下装置を取り付けている樹木に根らしきものが形成されることが確認できた。
【００３１】
また、従来においては、接木以外での増殖が困難とされていたクリについても、発根が確認された。
【００３２】
さらに、センサーからの感知情報と、滴下装置による水分の供給情報を、ＣＰＵユニットを介してパソコンに接続されている受信装置に送り、パソコンに記録して管理する工程を含むことで、植物の取り木部分に装着している発根促進用具における環境の変化を記録し、その環境データに基づいて、樹種別の最適仕掛け時期を解明することができる。
【００３３】
また、必要に応じて、パソコンからも所定の操作が可能であることから、例えば、ＣＰＵユニットに予め設定されている値を、随時変更することができる。
【００３４】
その結果、植物の取り木部分に装着している発根促進器具における、好ましい保水材の湿潤状態を常に維持することができる。
【００３５】
一方、本発明に係る空中取り木手法における発根促進システム・発根促進方法に使用される発根促進用具は、耐候性機能を有する被覆材と、該被覆材の内側面に付設された保水材を備え、植物の取り木部分を覆うようにして装着するもので、被覆材の両端開口側を閉塞する封止部材を設けていることから、保水材の乾燥を防ぎ、植物の取り木部分に適度な湿り気を与えながら、保護することができる。
【００３６】
また、発根促進用具は、耐候性機能を有する被覆材と、該被覆材の内側面に付設された保水材を備え、植物の取り木部分を覆うようにして装着するもので、被覆材の一端縁部の裏側とこれに対応する他端縁部の表側に、接合・分離可能な接着部を設けると共に、被覆材の両端開口側を窄めた状態で閉塞し、この被覆材の両端開口側に複数の通し孔を設け、紐材を通し孔に通して締結したことから、保水材の乾燥を防ぎ、植物の取り木部分に適度な湿り気を長期に渡り与えることができる。
【００３７】
さらに、植物の取り木部分を覆うようにして装着し、被覆材の両端開口側を窄めた状態で閉塞していることから、保水材を植物にしっかり当接させて、この保水材が移動したり、枝から落下してしまう事態の発生を阻止している。
【００３８】
また、被覆材の両端開口側を窄めた状態で閉塞していことから、保水材の乾燥を防ぐこともできる。
【００３９】
加えて、被覆材の一端縁部の裏側とこれに対応する他端縁部の表側に、接合・分離可能な接着部を設けていることから、植物に被覆材を簡単に装着して、取り木部分に保水材を当接させることができる。
【００４０】
そのため、取り木を行う植物への保水材と被覆財の取り付けが容易で、極めて短時間の内に、植物に保水材と被覆財を装着することができる。
【００４１】
そして、発根促進用具を構成する被覆材と保水材の両材料について、再利用が可能であることから、経済的であると共に、部材の使い捨てによる廃棄物が生じることも無い。
【発明を実施するための最良の形態】
【００４２】
以下に、本発明を実施するための最良の形態を、図面を参照して説明する。
【００４３】
本発明に係る空中取り木手法における発根促進システム・発根促進方法に使用される発根促進用具Ｐは、植物の取り木部分を覆うようにして装着するものである。
【００４４】
取り木手法は、植物である樹木の枝Ｑについて、樹皮を剥いで師管を切断する処置や、Ｃ型に成形した針金Ｔ（結束器具Ｃリンガー）を固定して師管を遮断する処置等を行うことにより、発根させる手法である。
【００４５】
植物である樹木の枝Ｑついてこのような処置を行うと、師管を通って行き来していた葉で作られた養分が降下し、処置部の上側で蓄積されてカルスを形成する。その部分を保水材で包み込んでおき、本来は根から吸収するはずの水分を直接処置部に与えることにより、カルスから発根させるのである。
【００４６】
植物の取り木部分を覆うようにして装着する発根促進用具Ｐは、図１（ａ）に示すように、耐候性機能を有している屋外テント用のシート等を用いて形成した被覆材１の内側面に、ウレタン樹脂等を用いたスポンジ状の保水材２を付設している。
【００４７】
そして、図１（ｂ）（ｃ）に示すように、Ｃ型に成形した針金Ｔ（結束器具Ｃリンガー）を固定している枝Ｑの取り木部分を、被覆材１が保水材２と共に巻き込み、取り木部分を覆うようにして装着されるのである。
【００４８】
尚、発根促進用具Ｐは、樹皮を剥いで師管を切断する処置を行った取り木部分に装着されるものであっても差し支えない。
【００４９】
さらに、発根促進用具Ｐは、図１（ａ）（ｂ）に示すように、被覆材１の巻き込み方向における一端縁部が若干延長されていて、この一端縁部の裏側と、これに対応する他端縁部の表側に、接合・分離可能な接着部１ａ，１ｂを付設している。この接着部１ａ，１ｂは、例えば、ベルクロテープ等により形成されている。
【００５０】
さらに、図１（ｂ）に示すように、例えば、被覆材１の一端部における接着部１ｂ側に、後述する水タンク４からの導管４ａを、保水材２の存在する位置まで挿入するための孔１ｃを設けている。
【００５１】
また、図１（ｃ）に示すように、枝Ｑに巻き込んだ状態の保水材２と被覆材１の両端開口側に、円筒形の蓋状に形成され、枝Ｑを挿通させる孔３ａを備えた封止部材３を嵌め込んで装着している。この封止部材３は、枝Ｑを巻き込んでいる状態の保水材２と被覆材１の両端開口側から、水が落ちることを防ぐものである。
【００５２】
尚、封止部材３を、接着剤等を用いて保水材２と被覆材１の両端開口側に固定しても良い。
【００５３】
そして、被覆材１の孔１ｃが存在しない側の端部に、温度・湿度を感知するためのセンサー５ａを配置している。このセンサー５ａは、図１（ｃ）に示すように、枝Ｑを巻き込んでいる保水材２に挟まれるようにして固定される。
【００５４】
また、センサー５ａを配置している側の端部に装着する封止部材３は、センサー５ａのコードを挿通させる孔３ｂを備えている。
【００５５】
一方、枝Ｑに装着した発根促進器具Ｐについて、その保水材２に水分を供給するための滴下装置Ｓが設置されている。
【００５６】
この滴下装置Ｓは、図２に示すように、上方側に設置されている水タンク４に接続している導管４ａの途中に取り付けられている。この導管４ａは、滴下装置Ｓを介して、例えば、２股に分岐し、分岐したそれぞれの導管４ａの先端は、被覆材１の孔１ｃに挿入されて保水材２に接続している。
【００５７】
滴下装置Ｓは、所定の信号を受信して開弁・閉弁する、例えば、電磁弁等によって構成されている。
【００５８】
そして、センサー５ａが検知した温度・湿度等の感知情報は、ＣＰＵユニット５に送られ、この感知情報が予め設定している値に達したとき、ＣＰＵユニット５から滴下装置Ｓに、電磁弁を開く旨の指令が送られる。
【００５９】
その結果、水タンク４の水が導管４ａを通って発根促進器具Ｐの保水材２に供給されるのである。
【００６０】
また、発根促進器具Ｐの保水材２に充分な水が供給されて、センサー５ａがこれを検知してその情報がＣＰＵユニット５に送られ、この感知情報が予め設定している値に達したとき、ＣＰＵユニット５から滴下装置Ｓに、電磁弁を閉じる旨の指令が送られる。
【００６１】
さらに、センサー５ａが検知した温度・湿度等の感知情報は、ＣＰＵユニット５から、パソコンＲに接続されている受信装置６に送信され、パソコンＲにこの感知情報が記録される。
【００６２】
また、ＣＰＵユニット５から滴下装置Ｓに送られる電磁弁を開く旨の指令・閉じる旨の指令も、受信装置６に送信され、パソコンＲにこの指令が記録される。
【００６３】
尚、必要に応じて、パソコンＲからも、所定の指令をＣＰＵユニット５に送信できるようになっている。
【００６４】
そのため、例えば、ＣＰＵユニット５に予め設定されている値を、随時変更することができる。
【００６５】
この他、図３には、発根促進器具Ｐの他の構成例が示されている。
【００６６】
この発根促進器具Ｐは、図３（ｂ）に示すように、耐候性機能を有する被覆材１を、保水材２と共に枝Ｑに巻き込んだ際に、当該被覆材１の形状が略ラグビーボール状に丸められるよう形成されている。
【００６７】
また、発根促進器具Ｐは、図３（ａ）に示すように、被覆材１の巻き込み方向における一端縁部の裏側と、これに対応する他端縁部の表側に、巻き込み方向に沿って、例えば、ベルクロテープ等の接合・分離可能な接着部１ａ，１ｂを４箇所付設している。
【００６８】
そして、図３（ｂ）に示すように、枝Ｑを巻き込んで、被覆材１の両端側に位置する接着部１ａ，１ｂを接合させることにより、当該被覆材１の両端側が窄められた状態となる。このとき、センサー５ａは、窄んでいる被覆材１によって形成されている若干の隙間から挿入される。
【００６９】
また、図４にも、発根促進器具Ｐの他の構成例が示されている。
【００７０】
この発根促進器具Ｐは、図４（ａ）に示すように、被覆材１の巻き込み方向における一端縁部の裏側と、これに対応する他端縁部の表側に、その縁部に沿って、接合・分離可能な接着部１ａ，１ｂを付設している。
【００７１】
そして、図４（ｂ）に示すように、枝Ｑを巻き込んで、被覆材１の両端側に位置する接着部１ａ，１ｂを接合させることにより、当該被覆材１の両端側が窄められた状態となる。このとき、センサー５ａは、窄んでいる被覆材１によって形成されている若干の隙間から挿入される。
【００７２】
また、図４（ｂ）（ｃ）に示すように、窄んでいる被覆材１の両側に、複数の通し孔６が設けられている。この通し孔６は、被覆材１の長手方向に沿って、所定の帯部材の両端を縫製することによって形成されている。そして、これらの通し孔６に紐材７を通して締結することにより、被覆材１の両側をさらにきつく窄めるように形成されている。
【００７３】
尚、保水材２として、図４（ａ）に示すように、ポリエステル樹脂等を用いたスポンジ状のものを付設しているが、これに限定されることはなく、例えば、ポリ乳酸、ヤシ繊維、ジュート繊維、ピートモス、リサイクルウレタン、感温吸排水性樹脂を配合したウレタンマット、籾殻等を保水材２として使用しても良い。
【産業上の利用可能性】
【００７４】
本発明に係る空中取り木手法における発根促進システム・発根促進方法と、それらに使用される発根促進用具は、園芸品種や観葉植物へ栄養体を効率よく供給して繁殖させる手法として、造園業以外の様々な分野において、幅広く利用することができる。
【図面の簡単な説明】
【００７５】
【図１】発根促進器具の構成を示すもので、（ａ）は発根促進器具を展開した状態の斜視図、（ｂ）は発根促進器具を植物の取り木部分に装着した状態の斜視図、（ｃ）は発根促進器具の両端開口側に封止部材を取り付ける状態の分解斜視図である。
【図２】発根促進器具を用いた発根促進システムの構成を示す説明図である。
【図３】発根促進器具の他の構成例を示すもので、（ａ）は発根促進器具が開いている状態の斜視図、（ｂ）は発根促進器具を植物の取り木部分に装着した状態の斜視図である。
【図４】発根促進器具の他の構成例を示すもので、（ａ）は発根促進器具が開いている状態の斜視図、（ｂ）は発根促進器具を植物の取り木部分に装着した状態の斜視図、（ｃ）は被覆材の両側を紐材で縛り付けた状態の斜視図である。
【図５】従来例を示し、（ａ）は対象となる植物の取り木部分に針金を巻き締めて固定した状態の斜視図、（ｂ）は針金の固定部分の周囲を十分に濡らした水コケで覆ってからビニールによって包み込んだ状態の斜視図、（ｃ）は針金の固定部分の周囲を十分に濡らした水コケで覆ってから、その上をアルミホイル等の被覆材により覆って保護した状態の斜視図である。
【符号の説明】
【００７６】
Ｐ…発根促進器具
Ｑ…枝
Ｒ…パソコン
Ｓ…滴下装置
Ｔ…針金
１…被覆材
１ａ…接着部
１ｂ…接着部
２…保水材
３…封止部材
４…水タンク
４ａ…導管
５…ＣＰＵユニット
５ａ…センサー
６…受信装置
７…通し孔
８…紐材
【図１】
2008271858.tif 000003
【図２】
2008271858.tif 000004
【図３】
2008271858.tif 000005
【図４】
2008271858.tif 000006
【図５】
2008271858.tif 000007